(57)【要約】【課題】室外機の上部に設置される保護ユニットにおいて、積雪や落下物などの堆積物、日射などから室外機を保護するとともに、保護ユニット上に堆積した堆積物を所定位置に落下させることのできる室外機の保護ユニットを提供する。【解決手段】ヒートポンプユニット（室外機）１の保護ユニット１０は、屋根板２と、前後方向を軸として屋根板２を回動可能に支持する固定具４と、屋根板２を上下動可能に支持する固定具５と、を備え、屋根板２は、室外機１の前下方に向かって傾斜した状態で支持され、屋根板２には、該屋根板上に堆積した堆積物を固定具５の側の落下部２１から落下させるためのガイド部３が設けられている。固定具５は、屋根板２を上方向に付勢する弾性スプリング５３を備え、屋根板２に所定の下方向の荷重が付加された場合に、当該屋根板２の固定具５の側が下方向に可動するように構成されている。【選択図】図１
2013002659.tif 000002
【特許請求の範囲】
【請求項１】
室外機に固定される固定具と、前記固定具によって前記室外機の上方に支持される屋根板と、を備える室外機の保護ユニットにおいて、
前記屋根板は、前記室外機の前下方に向かって傾斜した状態で支持され、
前記屋根板には、該屋根板上に堆積した堆積物を所定の落下部から落下させるためのガイド部が設けられていることを特徴とする室外機の保護ユニット。
【請求項２】
前記落下部は、前記室外機の送風ファンの送風口の上方を避けた領域に設けられていることを特徴とする請求項１記載の室外機の保護ユニット。
【請求項３】
前記落下部は、前記屋根板の傾斜下端の一部領域に設けられ、
前記ガイド部は、前記落下部を除く前記傾斜下端の縁に沿って形成されたフランジであることを特徴とする請求項１または２に記載の室外機の保護ユニット。
【請求項４】
前記固定具は、
前記室外機の一端側に固定され、前記屋根板を前記室外機に対して回動可能に支持する第１の固定具と、
前記室外機の他端側に固定され、前記屋根板を前記室外機に対して上下動可能に支持する第２の固定具と、を有し、
前記落下部は、前記第２の固定具の側に設けられており、
前記第２の固定具は、前記屋根板を上方向に付勢する弾性部材を備え、前記屋根板に所定の下方向の荷重が付加された場合に、当該屋根板の前記第２の固定具の側が下方向に可動することを特徴とする請求項１乃至３の何れか１項記載の室外機の保護ユニット。
【発明の詳細な説明】
【技術分野】
【０００１】
本発明は、室外機の保護ユニットに係り、特にヒートポンプ給湯室外機などのヒートポンプ機器を保護する保護ユニットに関する。
【背景技術】
【０００２】
従来、例えば特許文献１には、エアコン室外機に固定する日除け屋根において、角度調整が可能なものが開示されている。このような構成によれば、エアコン室外機の日除け保護を行うとともに、屋根の角度を調整することで、積雪等による屋根への負荷を軽減することができる。
【先行技術文献】
【特許文献】
【０００３】
【特許文献１】特開平１１−１５９８０９号公報
【発明の概要】
【発明が解決しようとする課題】
【０００４】
しかしながら、上記特許文献１では、積雪に対応した角度変更は可能であっても、日除け屋根から落下した雪がどのような状況になるのかの配慮はない。このため、これらの落下物の堆積位置によっては、室外機の送風経路を妨げることや、人の通行等の障害になるおそれがある。
【０００５】
本発明は、上述のような課題を解決するためになされたもので、ヒートポンプユニット等の室外機の上部に設置される保護ユニットにおいて、積雪や落下物などの堆積物、日射などから室外機を保護するとともに、保護ユニット上に堆積した堆積物を所定位置に落下させることのできる室外機の保護ユニットを提供することを目的とする。
【課題を解決するための手段】
【０００６】
本発明に係る室外機の保護ユニットは、室外機に固定される固定具と、固定具によって室外機の上方に支持される屋根板と、を備える室外機の保護ユニットにおいて、屋根板は、室外機の前下方に向かって傾斜した状態で支持され、屋根板には、該屋根板上に堆積した堆積物を所定の落下部から落下させるためのガイド部が設けられているものである。
【発明の効果】
【０００７】
本発明によれば、ヒートポンプユニット等の室外機の上部に設置される保護ユニットにおいて、積雪や落下物などの堆積物、日射などから室外機を保護するとともに、保護ユニット上に堆積した堆積物を所定位置に落下させることのできる室外機の保護ユニットを提供することが可能となる。
【図面の簡単な説明】
【０００８】
【図１】本発明の実施の形態１における保護ユニットをヒートポンプユニットの正面側からみた斜視図である。
【図２】本発明の実施の形態１における保護ユニットをヒートポンプユニットの背面側からみた斜視図である。
【図３】屋根板上に堆積物が堆積していない状態での固定具の状態を示す図である。
【図４】屋根板上に堆積物が堆積している状態での固定具の状態を示す図である。
【図５】屋根板上に堆積物が堆積していない状態での保護ユニットの正面図である。
【図６】屋根板上に堆積物が堆積している状態での保護ユニットの正面図である。
【発明を実施するための形態】
【０００９】
以下、図面を参照して本発明の実施の形態について説明する。尚、各図面において共通する要素には、同一の符号を付して、重複する説明を省略する。また、この実施の形態により本発明が限定されるものではない。
【００１０】
実施の形態１．
図１は、本発明の実施の形態１における保護ユニットをヒートポンプユニットの正面側からみた斜視図であり、図２は、本発明の実施の形態１における保護ユニットをヒートポンプユニットの背面側からみた斜視図である。尚、以下の説明において、「上下方向」、「左右方向」および「前後方向」とは、ヒートポンプユニットを正面視した場合の上下方向、左右方向および前後方向を、それぞれ示すこととする。
【００１１】
図１および図２に示すとおり、保護ユニット１０は、ヒートポンプユニット１の上面に固定されるユニットであり、夏場の日除け屋根としての機能と冬場の積雪・落雪に対する防止機能とを兼ね備えたものである。具体的には、保護ユニット１０は、ヒートポンプユニット１の上方を覆うための屋根板２を備えている。屋根板２には、固定具４，５が配置されており、これらの固定具４，５をヒートポンプユニット１の上面の左右両端に取り付けることにより、該保護ユニット１０がヒートポンプユニット１の上方に固定される。尚、固定具４，５のヒートポンプユニット１への取り付けは、例えば、ヒートポンプユニット１の側面部分にある取付け穴を利用して取り付けることができる。
【００１２】
屋根板２は、ヒートポンプユニット１の前下方向に向かって傾斜する角度で固定される。また、屋根板２の前方向の辺の固定具５の側（右側）の領域には、該屋根板２上に堆積した雪等の堆積物を落下させるための落下部２１が設けられ、前方向の辺のその他の領域には、堆積物を当該落下部２１へ導くためのガイド部３が設けられている。ガイド部３は、より具体的には、屋根板２の前辺に設けられたフランジ状のガイドであって、屋根板２の左側から右側の落下部２１へ向かって斜めに下るように、すなわち落下部２１に近づくにつれてその上下方向の位置が低くなるように設けられている。
【００１３】
固定具４は、保護ユニット１０側に固定された保護ユニット支持部４１と、ヒートポンプユニット１側に固定されるヒートポンプ支持部４２とが接続された構造を有し、保護ユニット支持部４１がヒートポンプ支持部４２に対して前後方向を軸として回動可能に構成されている。
【００１４】
一方、固定具５は、保護ユニット１０側に固定された保護ユニット支持部５１と、ヒートポンプユニット１側に固定されるヒートポンプ支持部５２とが接続された構造を有し、保護ユニット支持部５１がヒートポンプ支持部５２に対して所定の範囲で上下動可能に構成されている。また、保護ユニット支持部５１とヒートポンプ支持部５２との間には、これらの支持部５１，５２を離反方向に付勢するための弾性スプリング５３が配設されている。
【００１５】
上述した構成を有する保護ユニット１０によれば、ヒートポンプユニット１の上方が屋根板２で覆われている。このため、夏場の日除け機能を有するだけでなく、落雪などによる強い衝撃からヒートポンプユニット１の破損を防止する機能も奏することが可能となる。また、保護ユニット１０の屋根板２は、予め傾斜とガイド部３が設けられているため、保護ユニット１０上に堆積した堆積物を保護ユニット１０の落下部２１から落下させることが可能となる。特に、本実施の形態１の保護ユニット１０では、圧縮機等の機能部品を納めているヒートポンプユニット１の機械室側の上部に落下部２１を設けることとしている。これにより、ヒートポンプユニット１のファンの送風口の前に落下物が堆積して吹出し風が阻害される事態を有効に防止することができるので、ヒートポンプの能力低下を有効に抑制することが可能となる。
【００１６】
また、本実施の形態１の保護ユニット１０によれば、屋根板２上に雪等が堆積した場合に、当該屋根板２の左右方向が更に落下部２１が下になる方向（右下方向）に傾斜する。図３は、屋根板２上に堆積物が堆積していない状態での固定具５の状態を示す図であり、図４は、屋根板２上に堆積物が堆積している状態での固定具５の状態を示す図である。また、図５は、図３に示す状態での保護ユニット１０の正面図を、図６は、図４に示す状態での保護ユニット１０の正面図を、それぞれ示している。図３および図５に示すとおり、屋根板２上に堆積物が堆積していない通常の状態では、弾性スプリング５３によって保護ユニット支持部５１が上方向に付勢されているため、屋根板２の左右方向は水平に保たれている。ここで、図４および図６に示すとおり、屋根板２上に堆積物が堆積し、弾性スプリング５３の付勢力を超える所定の荷重が付加されると、ストッパが外れて保護ユニット支持部５１が下方向に沈み込む。これにより、屋根板２の左右方向は落下部２１が下になる方向（右下方向）に傾斜して、その結果落下部２１への堆積物の移動が促進される。屋根板２上の堆積物が落下すると、弾性スプリング５３の付勢力によって保護ユニット支持部５１が持ち上がり、屋根板２の左右方向が再び水平に保たれる。尚、上述した傾斜の動作は、例えば、屋根板２に人の重量以下の荷重が付加された場合にストッパが外れるように設定することで、万一当該屋根板２を足場として人が二階などから住宅へ侵入しようとしても、保護ユニット１０の傾斜によって、乗り難くなり、防犯性の向上にも繋がる。
【００１７】
ところで、上述した実施の形態１の保護ユニット１０では、弾性スプリング５３によって保護ユニット支持部５１とヒートポンプ支持部とを離反方向に付勢することとしているが、固定具５の側で屋根板２を上方向に付勢することができるのであれば、他の付勢構造や弾性部材を採用することとしてもよい。また、上述した実施の形態１の保護ユニット１０では、屋根板の前辺にフランジ状のガイド部３を設けることとしているが、屋根板２の前方向に滑り落ちる堆積物を落下部２１へ導くことができるのであれば、ガイド部３の構成はこれに限定されない。
【符号の説明】
【００１８】
１  ヒートポンプユニット（室外機）
２  屋根板
２１  落下部
３  ガイド部
４  固定具（第１の固定具）
４１  保護ユニット支持部
４２  ヒートポンプ支持部
５  固定具（第２の固定具）
５１  保護ユニット支持部
５２  ヒートポンプ支持部
５３  弾性スプリング（弾性部材）
１０  保護ユニット
【図１】
2013002659.tif 000003
【図２】
2013002659.tif 000004
【図３】
2013002659.tif 000005
【図４】
2013002659.tif 000006
【図５】
2013002659.tif 000007
【図６】
2013002659.tif 000008